(57)【要約】【課題】真空断熱材の表面の凹凸が基材に転写されることのない断熱パネルを提供する。【解決手段】真空断熱材３０と、発泡系断熱材３２とを断面略凹状に形成された基材１０の凹所１５に収容してなる断熱パネル１において、真空断熱材３０と、凹所１５の内底面１５ｂとの間に、真空断熱材３０の厚さ方向に開口したハニカム構造体２０Ａが配設されている。【選択図】図１
2014095197.tif 000002
【特許請求の範囲】
【請求項１】
真空断熱材と、発泡系断熱材とを断面略凹状に形成された基材の凹所に収容してなる断熱パネルにおいて、
前記真空断熱材と前記凹所の内底面との間に、前記真空断熱材の厚さ方向に開口したハニカム構造体を配設したことを特徴とする断熱パネル。
【請求項２】
請求項１において、
前記凹所内に配設された前記真空断熱材の凹所開口側に、前記真空断熱材の厚さ方向に開口したさらなるハニカム構造体を配設した、断熱パネル。
【請求項３】
請求項１または２において、
前記ハニカム構造体は、前記真空断熱材を位置決めする位置決め部を有している、断熱パネル。
【請求項４】
請求項１〜３のいずれか１項において、
前記ハニカム構造体は、複数のハニカム基材を縦横に配設して形成されており、
前記ハニカム基材は、該ハニカム基材に隣接する空間間を連通させる連通部を有している、断熱パネル。
【発明の詳細な説明】
【技術分野】
【０００１】
本発明は、真空断熱材と、発泡系断熱材とを断面略凹状に形成された基材の凹所に収容してなる断熱パネルに関する。
【背景技術】
【０００２】
従来、真空断熱材を、断熱パネルの表面材を構成する基材の凹所の内底面に配し、その真空断熱材の周囲に発泡系断熱材を収容してなる断熱パネルが知られている（たとえば、特許文献１参照）。
【先行技術文献】
【特許文献】
【０００３】
【特許文献１】特開２００８−９５４６４号公報
【発明の概要】
【発明が解決しようとする課題】
【０００４】
しかしながら、断熱パネルの製造過程において、真空断熱材を前記基材の凹所の内底面に設置した状態で発泡樹脂を発泡させると、その発泡圧で真空断熱材が内底面側に押圧され、真空断熱材の表面の凹凸が基材に転写され、基材の表面に凹凸が生じるおそれがある。また、真空断熱材が凹所の内底面に直接接触していると、製品となった後にも、基材の表面に真空断熱材の凹凸が表われるおそれもある。
【０００５】
本発明は、このような事情を考慮して提案されたもので、その目的は、真空断熱材の表面の凹凸が基材に転写されることのない断熱パネルを提供することにある。また、真空断熱材が基材の凹所内の所定位置にずれや傾きなく内装された断熱パネルを提供することも、本発明の目的とされる。
【課題を解決するための手段】
【０００６】
上記目的を達成するために、本発明の断熱パネルは、真空断熱材と、発泡系断熱材とを断面略凹状に形成された基材の凹所に収容してなる断熱パネルにおいて、真空断熱材と凹所の内底面との間に、真空断熱材の厚さ方向に開口したハニカム構造体を配設したことを特徴とする。
【０００７】
また、本発明においては、凹所内の真空断熱材の凹所開口側に、真空断熱材の厚さ方向に開口したさらなるハニカム構造体を配設した構成としてもよい。
【０００８】
さらに、本発明においては、ハニカム構造体は、真空断熱材を位置決めする位置決め部を有したものとしてもよい。
【０００９】
また、本発明においては、ハニカム基材はハニカム基材に隣接する空間間を連通させる連通部を有したものとしてもよい。
【発明の効果】
【００１０】
本発明に係る断熱パネルによれば、上述の構成としているため、内装される真空断熱材の表面の凹凸が基材に転写されることを防止できる。また、上述の構成によれば、真空断熱材の設置位置にずれや傾きがない、つまり均一な断熱性を有した断熱パネルを提供できる。
【図面の簡単な説明】
【００１１】
【図１】本発明の一実施形態に係る断熱パネルの説明図であり、（ａ）は概略縦断面図、（ｂ）はハニカム基材の一部を省略した拡大正面図である。
【図２】同断熱パネルの要部分解斜視図である。
【図３】同断熱パネルの製造方法（前半工程）の概略説明図であり、（ａ）〜（ｃ）は断熱パネルの製造過程における概略縦断面図である。
【図４】同製造方法（後半工程）の概略説明図であり、（ａ）、（ｂ）は断熱パネルの製造過程における概略縦断面図、（ｃ）は断熱パネルの概略縦断面図である。
【発明を実施するための形態】
【００１２】
以下に、本発明の実施の形態について、添付図面を参照しながら説明する。
【００１３】
以下に説明する実施形態に係る断熱パネル１は、壁パネルや床パネル、天井パネルなどに用いられる建材用の断熱パネルとして使用される。このような断熱パネル１は、壁下地や床下地、天井下地などの施工対象に裏面側を固着させて施工される。
【００１４】
この断熱パネル１の幅寸法や長さ寸法は、断熱パネル１が用いられる対象等に応じて適宜、設定するようにすればよい。たとえば、断熱パネル１を、内装建材として用いる場合には、幅寸法を３００ｍｍ〜９００ｍｍ程度、長さ寸法を９００ｍｍ〜２４００ｍｍ程度とすればよい。
【００１５】
また、この断熱パネル１の厚さ寸法は、断熱パネル１が用いられる対象や、必要とされる断熱性等に応じて適宜、設定するようにすればよい。たとえば、断熱パネル１を内装建材として用いる場合には、基材１０の厚さ（高さ）寸法を１０ｍｍ〜３０ｍｍ程度、蓋材２５（裏面材）の厚さ寸法を０．０１ｍｍ〜１ｍｍ程度とすればよい。
【００１６】
本断熱パネル１の枠材とされる基材１０は、たとえば鋼板よりなる金属板（不図示）の表裏を樹脂層（不図示）で被覆した板材を折曲形成してなる。なお、鋼板として、亜鉛めっき鋼板や塗装鋼板、錫めっき鋼板などが使用されてもよい。また、金属板としては鋼板に限らず、他の金属を用いてもよい。
【００１７】
金属板（不図示）の表裏に樹脂層（不図示）を被覆してなる板材の厚さは、軽量化を図るため最大でも１ｍｍ程度とすることが望ましい。
【００１８】
樹脂層（不図示）を構成する合成樹脂は、熱可塑性樹脂であってもよいし、熱硬化性樹脂であってもよい。また、合成樹脂としては、塩化ビニルに限らず、他の合成樹脂が用いられるものとしてもよい。
【００１９】
このように、金属板（不図示）の表裏に樹脂層（不図示）を設けて基材１０を形成することで、錆の発生を防止できる。なお、基材１０は、上記のような金属板（不図示）と樹脂層（不図示）による層構造でなくてもよく、その材料についても特に限定されず、種々の材料を使用して製されてもよい。
【００２０】
この基材１０は、図１（ａ）に示すように、略平板状とされる表面部１１と、側端縁部１２ａ、１２ａおよび裏側縁片部１２ｂ、１２ｂよりなる側部１２、１２とを有して断面略凹状とされる。
【００２１】
側端縁部１２ａは、表面部１１の幅方向の両端より断熱パネル１の厚さ方向に立ち上がり形成されている。裏側縁片部１２ｂは、側端縁部１２ａの裏面側の端部（図において上端）より相互に向き合い、開口１５ａの幅を狭めるように突出形成されている。このように、基材１０には、断熱パネル１の裏面側が開口され、表面部１１の裏面を内底面１５ｂとした凹所１５が形成されている。
【００２２】
図１（ａ）に示すように、断熱パネル１の基材１０の凹所１５の内底面１５ｂには、図２に示すような桝目状のハニカム構造体２０Ａが配設されている。このハニカム構造体２０Ａの上に真空断熱材３０が設置されており、さらにその上（凹所１５の開口１５ａ側）に他のハニカム構造体２０Ｂが配されている。つまり、真空断熱材３０は、上下のハニカム構造体２０Ｂ、２０Ａの間に挟まれるように凹所１５内に配設されている。
【００２３】
ハニカム構造体２０Ａ、２０Ｂのそれぞれは、図１（ｂ）の一部省略した拡大正面図で示すようなハニカム基材２１、２１、・・・を縦横に桝目状に組み合わせてなる。それぞれのハニカム構造体２０Ａ、２０Ｂには、真空断熱材３０の厚さ方向に連通する複数のセル２５、２５、・・・が縦横に配列形成されている。
【００２４】
よりくわしくは、図２に示すように、幅方向に配されたハニカム基材（横）２１Ｗ、２１Ｗ、・・・と、長手方向に配されたハニカム基材（縦）２１Ｌ、２１Ｌ、・・・とが交差するように編まれてハニカム構造体２０Ａ、２０Ｂのそれぞれが形成されている。そして、それによって形成された複数のセル２５、２５、・・・のそれぞれは上下に連通し、開口している。
【００２５】
上下のハニカム構造体２０Ｂ、２０Ａは同形状であり、真空断熱材３０の上に配したハニカム構造体２０Ｂは、内底面１５ｂ上に配したハニカム構造体２０Ａと同種のものを天地を逆にして用いればよい。つまり、上のハニカム構造体２０Ｂを構成するハニカム基材２１は、図１（ｂ）に示したハニカム基材２１とは天地を逆にした状態で用いられる。
【００２６】
真空断熱材３０が上下のハニカム構造体２０Ｂ、２０Ａで挟まれた状態のそれら全体の高さ寸法は、基材１０の凹所１５の深さ寸法（内底面１５ｂから裏側縁片部１２ｂの裏面までの高さ寸法）とほぼ同じか、やや小さくすることが望ましい。このような寸法関係とすることで、製造過程において、上のハニカム構造体２０Ｂを適切な位置に収容させた段階で、真空断熱材３０の位置が概ね固定される。
【００２７】
ハニカム構造体２０Ａ、２０Ｂとしては、本例のように、複数のセル２５、２５、・・・が形成されたものを用いることが、真空断熱材３０を安定して設置するうえで望ましいが、２片のハニカム基材（縦）２１Ｗと、２片のハニカム基材（横）２１Ｌとを用いてセル２５を１つだけ形成したものを用いてもよい。
【００２８】
内底面１５ｂに配したハニカム構造体２０Ａについては、真空断熱材３０が傾くことがないように載せ置ける構成であればよい。また、真空断熱材３０の上に配したハニカム構造体２０Ｂについては、真空断熱材３０が上方に移動できないものであればよい。たとえば、下のハニカム構造体２０Ａについては複数のセル２５、２５、・・・を形成した頑丈なものを採用するのに対し、上のハニカム構造体２０Ｂについては、２片のハニカム基材（縦）２１Ｗと、２片のハニカム基材（横）２１Ｌとを用いてセル２５を１つだけ形成した簡易なものを用いてもよい。
【００２９】
断熱パネル１の基材１０の凹所１５内には、さらに発泡系断熱材３２（図４（ｃ）参照）が充填されており、凹所１５の開口１５ａを塞ぐように裏面材３５が取り付けられている。なお、断熱パネル１は裏面材３５を設けない構成としてもよい。
【００３０】
なお、図１（ａ）の概略縦断面図では、要部を見やすくするために、充填された発泡系断熱材３２の図示を省略した（発泡系断熱材３２については図４（ｃ）参照）。
【００３１】
ハニカム構造体２０Ａ、２０Ｂの構成部材であるハニカム基材２１は、厚みが０．５ｍｍ程度のボール紙よりなる。ハニカム基材２１は、他の材料で製されてもよいが、断熱パネル１に内装するものであるため、熱橋とならないように、熱伝導率の低い材料を用いることが望ましく、厚みも薄いものがよい。
【００３２】
ハニカム基材２１の高さ寸法は、３〜５ｍｍ程度であり、高さを一定とした両端部２１ａ、２１ａを除く中央部２１ｂは、凹凸が交互に連続した形状となっている。中央部２１ｂは端部２１ａ、２１ａよりやや低く、それらの間には段差があり、凹凸形状をなした中央部２１ｂに、凹凸の凸部２３上に載置されるように真空断熱材３０が配されている（図１（ａ）および図２参照）。この段差部は真空断熱材３０を基材１０の凹所１５内で位置決めするための位置決め部２４を構成する。
【００３３】
このように、ハニカム基材２１に位置決め部２４を設けたことにより、真空断熱材３０の設置位置が固定される。
【００３４】
基材１０の幅方向に配されたハニカム基材（横）２１Ｗと、長手方向に配されたハニカム基材（縦）２１Ｌとはいずれも、図１（ｂ）に示すように、両端部２１ａ、２１ａと、それらの間に形成された凹凸状の中央部２１ｂとよりなる。
【００３５】
また、ハニカム基材２１の中央部２１ｂで連続する凹凸のうちの凹部２２は、図１（ａ）に示すように、真空断熱材３０が設置されることで横方向への連通開口を構成する。すなわち、この開口は、製造過程の際、発泡樹脂３１が充填される前において、セル２５、２５間およびセル２５とハニカム構造体２０Ａ、２０Ｂの外部側方との間を連通させる連通部２２を構成する。
【００３６】
また、両端部２１ａ、２１ａをやや高く形成したハニカム基材２１を用いて、確実に真空断熱材３０が幅方向の中央に配されるようにしているので、製造過程および製造後に真空断熱材３０が幅方向や長手方向にずれることはない。特に、真空断熱材３０が幅方向に位置決めされているので、幅方向にずれることはなく、幅方向の端部への釘打ちで真空断熱材３０が損傷することを防止できる。
【００３７】
また、ハニカム構造体２０Ａ、２０Ｂの長さ寸法は、真空断熱材３０の長さ寸法に合わせて同じ程度の寸法でよいが、真空断熱材３０より長い寸法のもの、たとえば断熱パネル１の長手方向の端部から他の端部にいたるものでもよい。
【００３８】
また、ハニカム基材（縦）２１Ｌには位置決め部２４がなくてもよく、真空断熱材３０が載せ置けるだけのものでもよく、真空断熱材３０の長手方向の寸法より短い寸法のものでもよい。少なくとも、真空断熱材３０を基材１０の凹所１５の内底面１５ｂよりも高い位置に配設できるものであればよい。
【００３９】
また、位置決め部２４は、ハニカム構造体２０Ａ、２０Ｂのそれぞれについて位置決め作用を有するように設ければよく、すべてのハニカム基材２１に位置決め部２４を設けなくてもよい。たとえば、ハニカム構造体２０Ａ、２０Ｂのそれぞれに４箇所の位置決め部２４を設けて、幅方向、長手方向のいずれにおいても、真空断熱材３０の移動が規制されるようにしてもよい。
【００４０】
ついで、断熱パネル１の概略製造方法およびハニカム構造体２０Ａ、２０Ｂによる作用、効果について、図３および図４を参照しながら説明する。
【００４１】
この断熱パネル１の製造方法としては、長尺状の基材を搬送装置（不図示）で搬送させながら、種々の工程を連続的に実行することで断熱パネル１を成形する製造方法など種々の製造方法を想定できるが、以下では製造装置を特定せずに概念のみを例示、説明する。
【００４２】
まず、真空断熱材３０の下に配するハニカム構造体２０Ａを基材１０の凹所１５の内底面１５ｂに載置する（図３（ａ）参照）。上述したように、下のハニカム構造体２０Ａは、基材１０の凹所１５の内部幅寸法に合致したものをきっちりと設置することが望ましい。
【００４３】
つぎに、真空断熱材３０をハニカム構造体２０Ａの位置決め部２４、２４（段差部）間の中央部２１ｂに載せ置く（図３（ｂ）参照）。
【００４４】
この段階で、真空断熱材３０の凹所１５内での設置位置がほぼ定まる。なお、ハニカム基材（横）２１Ｗのみに位置決め部２４、２４が形成されている場合は、少なくとも幅方向の位置決めがなされる。
【００４５】
そしてつぎに、その真空断熱材３０の上に他のハニカム構造体２０Ｂを載せ置く（図３（ｃ）参照）。
【００４６】
この段階で真空断熱材３０の凹所１５内での位置がさらに確定する。また、本図例の場合、真空断熱材３０を２つのハニカム構造体２０Ａ、２０Ｂで挟み込んだ状態での高さ寸法が、基材１０の凹所１５の深さ寸法（内底面１５ｂから裏側縁片部１２ｂの裏面までの高さ寸法）とほぼ一致しているので、真空断熱材３０は上下方向においても位置がほぼ固定される。
【００４７】
つぎに、基材１０の凹所１５内に発泡樹脂３１を注入する（図４（ａ）参照）。なお、図４（ａ）における符号５は、発泡樹脂３１をノズル５ａより下方に向けて注入する発泡樹脂注入機である。
【００４８】
ハニカム構造体２０Ａ、２０Ｂを構成するハニカム基材２１、２１、・・・には凹部による複数の連通部２２が形成されているので、注入された発泡樹脂３１が、連通部２２、２２、・・・を通じて、いずれのセル２５、２５、・・・にも行き渡る（図２も参照）。
【００４９】
発泡樹脂３１を注入した後、裏面材３５を凹所１５の開口１５ａを塞ぐように貼り付ける（図４（ｂ）参照）。その状態で、図４（ｂ）の白抜き矢印で示すように、基材１０の上下より押圧しながら加熱して、発泡樹脂を発泡・膨張・硬化（成形）させる。たとえば、押圧装置（不図示）で基材１０を上下より押圧することで加熱させながら、裏面材３５を基材１０に固着させるようにしてもよい。
【００５０】
このとき、真空断熱材３０に対して発泡圧がかかるが、真空断熱材３０の設置位置がハニカム構造体２０Ａ、２０Ｂによってほぼ固定されているため、真空断熱材３０はずれたり傾いたりなど移動することはなく、設置されたときの状態が維持される。
【００５１】
こうして、基材１０の凹所１５内の発泡樹脂３１は発泡・膨張・硬化して発泡断熱材３２となる（図４（ｃ）参照）。
【００５２】
以上のように、断熱パネル１の製造過程において、真空断熱材３０がハニカム構造体２０Ａ、２０Ｂにより厚さ方向、幅方向の中央で位置決めされるので、真空断熱材３０がずれたり傾いたりしていない断熱パネル１を製造することができる。
【００５３】
また、断熱パネル１の製造過程において真空断熱材３０が基材１０に直接接触しない構成であるため、製造過程において、内装される真空断熱材３０の表面の凹凸が基材１０に転写されることを防止できる。もちろん、製造後においても真空断熱材３０の上下や周囲に発泡系断熱材３２が配されているため、真空断熱材３０の表面凹凸の基材への転写のおそれはない。したがって、このような断熱パネル１の構造は基材１０の軽量化、薄型化にも寄与することとなる。
【００５４】
さらに、ハニカム構造体２０Ａ、２０Ｂにより真空断熱材３０が中央の固定位置に位置決めできるため、真空断熱材３０の設置位置にずれや傾きのない、均一な断熱性を有した断熱パネルを成形することができる。
【００５５】
上述の実施形態では、ハニカム基材２１の位置決め部を段差部で構成した断熱パネルを示したが、突起でもよい。また、段差部や突起に代えて目視ができる程度の目印であってもよい。位置決め部を目印で構成すれば、真空断熱材３０の移動を規制できないが、製造過程において、手動による真空断熱材の設置位置を視認することができる。
【００５６】
また、上記ではハニカム構造体２０Ａ、２０Ｂとして、セル２５の平面視形状を矩形とした桝目状のものを示したが、セル形状を六角形やその他多角形としたものとしてもよい。
【符号の説明】
【００５７】
１          断熱パネル
１０        基材
１５        凹所
１５ａ      開口
１５ｂ      内底面
２０Ａ      （真空断熱材の下に配した）ハニカム構造体
２０Ｂ      （真空断熱材の上に配した）ハニカム構造体
２１        ハニカム基材
２１Ｗ      ハニカム基材（横）
２１Ｌ      ハニカム基材（縦）
２２        凹部（連通部）
２３        凸部
２４        段差部（位置決め部）
２５        セル
３０        真空断熱材
【図１】
2014095197.tif 000003
【図２】
2014095197.tif 000004
【図３】
2014095197.tif 000005
【図４】
2014095197.tif 000006